(57)【要約】  光の照射態様の多様化を図る。  所定の回転軸（Ｐ）を支点として回転可能な配置ベース（１３）と、配置ベースに配置された複数の光源（１４）とを備え、複数の光源のうち少なくとも二つの光源が配置ベースの径方向において回転中心からの距離が異なる位置に配置され、複数の光源に対して個別に点消灯制御が可能にされた。これにより、配置ベースに配置された少なくとも二つの光源が配置ベースの径方向において回転中心からの距離が異なる位置に配置されると共に配置ベースに配置された複数の光源に対して個別に点消灯制御が可能にされるため、光の照射態様の多様化を図ることができる。
2020039890.tif 000002
【特許請求の範囲】
【請求項１】
所定の回転軸を支点として回転可能な配置ベースと、  前記配置ベースに配置された複数の光源とを備え、  前記複数の光源のうち少なくとも二つの光源が前記配置ベースの径方向において回転中心からの距離が異なる位置に配置され、  前記複数の光源に対して個別に点消灯制御が可能にされた  光源ユニット。
【請求項２】
前記少なくとも二つの光源が前記回転中心から離隔するに従って周方向において異なる位置に配置された  請求項１に記載の光源ユニット。
【請求項３】
前記配置ベースの回転により前記複数の光源が所定の位置に移動されたときに点灯が行われる  請求項１又は請求項２に記載の光源ユニット。
【請求項４】
周方向において隣り合う位置に配置された前記光源の移動軌跡の一部が径方向において重なる  請求項３に記載の光源ユニット。
【請求項５】
前記光源が前記回転中心に重ならない位置に配置された  請求項１、請求項２、請求項３又は請求項４に記載の光源ユニット。
【請求項６】
所定の回転軸を支点として回転可能な配置ベースと、  前記配置ベースに配置された複数の光源と、  前記複数の光源から出射された光を制御する光制御部材とを備え、  前記複数の光源のうち少なくとも二つの光源が前記配置ベースの径方向において回転中心からの距離が異なる位置に配置され、  前記複数の光源に対して個別に点消灯制御が可能にされた  灯具。
【請求項７】
前記光制御部材として前記光源から出射された光を外部へ向けて投影する投影レンズが設けられ、  前記投影レンズにおける光の入射側の焦点又は前記焦点の近傍に、前記回転中心に最も近い位置に存在する前記光源が配置された  請求項６に記載の灯具。
【発明の詳細な説明】
【技術分野】
【０００１】  本発明は、回転可能な配置ベースに複数の光源が配置された光源ユニット及びこれを備えた灯具についての技術分野に関する。
【背景技術】
【０００２】  灯具、例えば、車輌用灯具には、光源がファンの中央部に位置された基台に配置され、ファンとともに回転される構成にされた光源ユニットを有するものがある（例えば、特許文献１参照）。【０００３】  特許文献１に記載された車輌用灯具においては、ファンの回転時に光源が点灯され、光源から出射された光によって所定の配光パターンが形成される。このとき光源の点灯に伴って発生する熱がヒートシンクとして機能する基台を介して放出されて冷却が行われると共に光源がファンの回転によって生じる気流によっても冷却される。
【先行技術文献】
【特許文献】
【０００４】
【特許文献１】特開２０１８−６３８９１号公報
【発明の概要】
【発明が解決しようとする課題】
【０００５】  ところで、近年、車輌用灯具を含む灯具においては、各種のタイプが開発され、光の照射態様も被視認性や意匠性の観点から多様化が進展している。例えば、車輌用灯具においては、センサーとの組み合わせにより、先行車や対向車や歩行者を検出し、これらの検出箇所に対しては部分的に光の照射が行われないように光の照射状態を制御することが可能なタイプも開発されている。【０００６】  従って、光源が基台とともに回転されるような灯具においても、光の照射態様の多様化が図られることが望ましい。【０００７】  そこで、本発明光源ユニット及び灯具は、上記した問題点を克服し、光の照射態様の多様化を図ることを目的とする。
【課題を解決するための手段】
【０００８】  第１に、本発明に係る光源ユニットは、所定の回転軸を支点として回転可能な配置ベースと、前記配置ベースに配置された複数の光源とを備え、前記複数の光源のうち少なくとも二つの光源が前記配置ベースの径方向において回転中心からの距離が異なる位置に配置され、前記複数の光源に対して個別に点消灯制御が可能にされたものである。【０００９】  これにより、配置ベースに配置された少なくとも二つの光源が配置ベースの径方向において回転中心からの距離が異なる位置に配置されると共に配置ベースに配置された複数の光源に対して個別に点消灯制御が可能にされる。【００１０】  第２に、上記した本発明に係る光源ユニットにおいては、前記少なくとも二つの光源が前記回転中心から離隔するに従って周方向において異なる位置に配置されることが望ましい。【００１１】  これにより、回転中心からの距離によって光源の周方向における位置が異なるため、光源の回転位置に応じた点消灯制御を行うことが可能になる。【００１２】  第３に、上記した本発明に係る光源ユニットにおいては、前記配置ベースの回転により前記複数の光源が所定の位置に移動されたときに点灯が行われることが望ましい。【００１３】  これにより、所定の位置以外の位置において複数の光源が消灯されるため、所定の位置以外の位置では光源が冷却される。【００１４】  第４に、上記した本発明に係る光源ユニットにおいては、周方向において隣り合う位置に配置された前記光源の移動軌跡の一部が径方向において重なることが望ましい。【００１５】  これにより、周方向において隣り合う位置に配置された光源の移動軌跡が径方向において離隔して位置されない。【００１６】  第５に、上記した本発明に係る光源ユニットにおいては、前記光源が前記回転中心に重ならない位置に配置されることが望ましい。【００１７】  これにより、配置ベースの回転時に、回転中心に重ならない位置に配置された光源から光が出射される。【００１８】  第６に、本発明に係る灯具は、所定の回転軸を支点として回転可能な配置ベースと、前記配置ベースに配置された複数の光源と、前記複数の光源から出射された光を制御する光制御部材とを備え、前記複数の光源のうち少なくとも二つの光源が前記配置ベースの径方向において回転中心からの距離が異なる位置に配置され、前記複数の光源に対して個別に点消灯制御が可能にされたものである。【００１９】  これにより、光源ユニットにおいて、配置ベースに配置された少なくとも二つの光源が配置ベースの径方向において回転中心からの距離が異なる位置に配置されると共に配置ベースに配置された複数の光源に対して個別に点消灯制御が可能にされる。【００２０】  第７に、上記した本発明に係る灯具においては、前記光制御部材として前記光源から出射された光を外部へ向けて投影する投影レンズが設けられ、前記投影レンズにおける光の入射側の焦点又は前記焦点の近傍に、前記回転中心に最も近い位置に存在する前記光源が配置されることが望ましい。【００２１】  これにより、高い分解能が必要な中央付近の配光を入射側の焦点に配置された光源によって形成し、高い分解能が不必要な周囲の配光を他の光源によって形成することが可能になる。
【発明の効果】
【００２２】  本発明によれば、配置ベースに配置された少なくとも二つの光源が配置ベースの径方向において回転中心からの距離が異なる位置に配置されると共に配置ベースに配置された複数の光源に対して個別に点消灯制御が可能にされるため、光の照射態様の多様化を図ることができる。
【図面の簡単な説明】
【００２３】
【図１】図２乃至図１６と共に本発明光源ユニット及び灯具の実施の形態を示すものであり、本図は、車輌用灯具の断面図である。
【図２】配置ベースに光源が配置された状態を示す正面図である。
【図３】配置ベースが回転された状態を示す正面図である。
【図４】配光パターンの一例を示す図である。
【図５】点灯可能な範囲の中で点消灯制御される例において配置ベースに光源が配置された状態を示す正面図である。
【図６】点灯可能な範囲の中で点消灯制御される例において形成された配光パターンの一例を示す図である。
【図７】図８乃至図１５と共に光源が径方向に並んで配置された例を示すものであり、本図は、灯具ユニットの例を示す断面図である。
【図８】配置ベースに光源が配置された状態を示す正面図である。
【図９】常時点灯されたときの点灯状態のイメージを示す図である。
【図１０】常時点灯されたときの配光パターンの一例を示す図である。
【図１１】点消灯制御されたときの点灯状態のイメージを示す図である。
【図１２】点消灯制御されたときの配光パターンの一例を示す図である。
【図１３】点消灯制御されたときの配光パターンの別の一例を示す図である。
【図１４】光源の配置状態の別の例を示す正面図である。
【図１５】光源の配置状態のまた別の例を示す正面図である。
【図１６】光源の別の制御の例を示す正面図である。
【発明を実施するための形態】
【００２４】  以下に、本発明光源ユニット及び灯具を実施するための形態について添付図面を参照して説明する。以下に示した実施の形態は、本発明灯具を車輌用前照灯に適用したものである。尚、本発明灯具は車輌用前照灯以外の各種の車輌用灯具に適用することができる他、車両以外に用いられる照明装置等の各種の灯具に適用することができる。また、本発明光源ユニットは、車輌用灯具を含む各種の灯具において用いられる各種の光源ユニットに適用することができる。
【００２５】  灯具１は、それぞれ車体の前端部における左右両端部に取り付けられて配置されている。
【００２６】  灯具１は、前端に開口を有するハウジング２とハウジング２の開口を閉塞した状態でハウジング２に取り付けられたカバー３とを備えている（図１参照）。ハウジング２とカバー３によって灯具外筐４が構成されている。灯具外筐４の内部空間は配置空間５として形成されている。
【００２７】  配置空間５には灯具ユニット６が配置されている。灯具ユニット６は支持ベース７とレンズホルダー８と投影レンズ９と光源ユニット１０を有している。
【００２８】  支持ベース７は前後方向を向く板状のベース部７ａとベース部７ａの外周部から前方に突出された外周部７ｂとを有している。
【００２９】  レンズホルダー８は環状に形成され、外周部７ｂの前面に取り付けられている。
【００３０】  投影レンズ９は、例えば、前方に凸の略半球状に形成され、レンズホルダー８に取り付けられて保持されている。投影レンズ９は入射された光を平行光又は集光する光に制御する機能を有している。
【００３１】  上記したように、投影レンズ９は入射された光を平行光又は集光する光に制御する機能を有しており、投影レンズ９は光を制御する光制御部材として機能する。投影レンズ９の外周側には、例えば、環状に形成されたエクステンション１１が配置されている。
【００３２】  光源ユニット１０は駆動源として機能する駆動モーター１２と駆動モーター１２によって回転される配置ベース１３と配置ベース１３に配置された複数の光源１４、１４、・・・とを有している。尚、図１においては、配置ベース１３と光源１４を強調して示すために、投影レンズ９の焦点エリアに対する光源１４の大きさが適正な大きさにはされていない。実際は、配置ベース１３上の各光源１４、１４、・・・が投影レンズ９の焦点エリア近くに配置されている。
【００３３】  駆動モーター１２は支持ベース７のベース部７ａに取り付けられ、軸方向が前後方向にされている。
【００３４】  配置ベース１３は、例えば、円板状又は扁平な円柱状に形成され、軸方向が前後方向にされた状態で中心部が駆動モーター１２に連結されている。従って、配置ベース１３は中心軸が回転支点となる回転軸Ｐとされている。配置ベース１３は前面が光源配置面１３ａとして形成されている。配置ベース１３は駆動モーター１２によって回転軸Ｐを支点として回転される。配置ベース１３は放熱性の高い、例えば、金属材料によって形成され、回転体としての機能の他にヒートシンクとしても機能する。
【００３５】  配置空間５には、例えば、光源ユニット１０の下方に制御回路１５が配置されている。制御回路１５によって、例えば、光源１４、１４、・・・の点消灯制御や駆動モーター１２に対する回転制御が行われる。
【００３６】  光源１４、１４、・・・は配置ベース１３における光源配置面１３ａの外周部に径方向に離隔して配置されている（図２参照）。光源１４としては、例えば、発光ダイオード（ＬＥＤ）が用いられている。光源１４、１４、・・・は図示しない基板を介して光源配置面１３ａに配置されている。光源１４、１４、・・・は配置ベース１３の回転中心（回転軸Ｐ）には重ならない位置に配置され、光源１４、１４、・・・のうち少なくとも二つの光源１４、１４が配置ベース１３の径方向において回転中心からの距離が異なる位置に配置されている。
【００３７】  光源１４、１４、・・・は回転中心から離隔するに従って周方向において異なる位置に配置され、二つずつの光源１４、１４が回転中心を挟んで対称な位置に配置されている。
【００３８】  具体的には、光源１４、１４、・・・は、例えば、１８個が配置され、回転中心側から順に光源１４Ａ、１４Ａ、光源１４Ｂ、１４Ｂ、光源１４Ｃ、１４Ｃ、・・・、光源１４Ｉ、１４Ｉとすると、径方向において並ぶ二つの光源１４、１４、例えば、光源１４Ａと光源１４Ｂ、光源１４Ｂと光源１４Ｃ、・・・は一方の周方向においてそれぞれ一定の角度ずつ変位した位置に配置されている。一定の角度は、例えば、１８０度を８分割した２２．５度である。光源１４、１４、・・・は全体として略Ｓ字状に配列され、最も回転中心に近い光源１４Ａ、１４Ａと最も回転中心から遠い光源１４Ｉ、１４Ｉとは配置ベース１３の同一の直径Ｄ上に配置されている。
【００３９】  また、光源ユニット１０においては、一方の光源１４Ａ、１４Ｂ、１４Ｃ、・・・、光源１４Ｉと他方の光源１４Ａ、１４Ｂ、１４Ｃ、・・・、光源１４Ｉとが配置ベース１３の回転中心を基準として対称な配置状態にされている。
【００４０】  尚、光源ユニット１０においては、一方の光源１４Ａ、１４Ｂ、１４Ｃ、・・・、光源１４Ｉのみが配置ベース１３に配置された構成にされていてもよい。但し、光源１４、１４、・・・が配置ベース１３の回転中心を基準として対称な配置状態にされることにより、配置ベース１３の回転時における安定した重量バランスが確保され、配置ベース１３の安定した回転状態を確保することができる。また、それぞれ一対の光源１４Ａ、１４Ａ、光源１４Ｂ、１４Ｂ、光源１４Ｃ、１４Ｃ、・・・、光源１４Ｉ、１４Ｉが配置されることにより、光源１４、１４、・・・の数が増え、高輝度の照射状態を確保することができる。
【００４１】  尚、光源１４の配置ベース１３に対する配置数は複数であれば任意であり、少なくとも二つの光源１４、１４が配置ベース１３の径方向において回転中心からの距離が異なる位置に配置されていればよい。また、少なくとも二つの光源１４、１４が回転中心から離隔するに従って周方向において異なる位置に配置されていればよい。さらに、光源１４Ａ、１４Ｂ、１４Ｃ、・・・、光源１４Ｉが３組以上配置されていてもよい。
【００４２】  光源ユニット１０においては、投影レンズ９における光の入射側の焦点（後側焦点）又はその近傍に、回転中心に最も近い位置に存在する光源１４Ａ、１４Ａが配置されている。
【００４３】  光源１４、１４、・・・においては、回転中心側の光源１４、１４、・・・を除き、周方向において隣り合う位置に配置された光源１４、１４の移動軌跡の一部が径方向において重なるようにされている。例えば、光源１４Ｈと光源１４Ｉは周方向において隣り合う位置に配置されており、配置ベース１３が回転されたときの光源１４Ｈの移動軌跡Ｈａと光源１４Ｉの移動軌跡Ｉａとの各一部が重なる（重なる部分を図２に梨子地でＴとして示す。）。同様に、周方向において隣り合う光源１４Ｇと光源１４Ｈにおいても、配置ベース１３が回転されたときの光源１４Ｇの移動軌跡Ｇａと光源１４Ｈの移動軌跡Ｈａとの各一部が重なる。
【００４４】  尚、光源ユニット１０にあっては、配置ベース１３の回転中心側においても、周方向において隣り合う位置に配置された光源１４、１４の移動軌跡の一部が径方向において重なるようにされていてもよい。
【００４５】  灯具１においては、光源１４、１４、・・・に対して個別に点消灯制御が可能にされている。従って、各光源１４に対しては制御回路１５によって通電状態のオンオフが行われる。具体的な構成としては、例えば、配置ベース１３の下面に光源１４、１４、・・・にそれぞれ電流を供給するための複数の図示しない端子部が径方向に離隔して形成され、制御回路１５に電気的に接続された図示しない接点部が配置ベース１３の下面に摺動可能な状態で位置されている。配置ベース１３が回転されたときに接点部が配置ベース１３の下面に摺動され接点部が端子部に接続されることにより接続された端子部に応じた光源１４に通電が行われて点灯され、接点部が端子部から離隔されることにより点灯が行われていた光源１４への通電が解除されて消灯される。尚、光源１４、１４、・・・に対する制御の別の例として、各光源１４、１４、・・・毎にスイッチング素子を使用したバイパス回路を配置ベース１３に形成し、制御回路１５によってスイッチング制御を行い、各光源１４、１４、・・・の点消灯制御を行ってもよい。
【００４６】  上記のように灯具１においては、光源１４、１４、・・・に対して個別に点消灯制御が可能にされており、光源ユニット１０においては、配置ベース１３の径方向における一定の範囲Ａで光源１４、１４、・・・が点灯され、それ以外の範囲では光源１４、１４、・・・が消灯されるように構成されている。従って、配置ベース１３の回転により各光源１４の全体が範囲Ａに移動されたときに点灯が行われる。範囲Ａは、例えば、配置ベース１３の左右方向に延びる直径Ｄを含む横長の領域の範囲である。尚、灯具１においては、光源１４の全体が範囲Ａに移動されたときに点灯が行われてもよく、光源１４の一部が範囲Ａに移動されたときに点灯が行われてもよい。
【００４７】  このように灯具１においては、配置ベース１３の回転時に範囲Ａにおいて光源１４、１４、・・・の点灯が行われるため、配置ベース１３の回転に伴って範囲Ａを順次通過する光源１４、１４、・・・が連続的に点灯され、恰も範囲Ａに存在する光源１４が常時点灯しているような状態に認識される。
【００４８】  範囲Ａは配置ベース１３の直径を含む範囲であり、配置ベース１３の回転時には常時複数の光源１４、１４、・・・が点灯される。
【００４９】  例えば、配置ベース１３の回転位置によって範囲Ａに最も外周側の光源１４Ｉ、１４Ｉが位置されたときには、最も内側の光源１４Ａ、１４Ａも範囲Ａに位置され、光源１４Ｉ、１４Ｉと光源１４Ａ、１４Ａが点灯される（図２参照）。また、例えば、配置ベース１３の回転位置によって範囲Ａに光源１４Ｇ、１４Ｇが位置されたときには、最も内側の光源１４Ａ、１４Ａも範囲Ａに位置され、光源１４Ｇ、１４Ｇと光源１４Ａ、１４Ａが点灯される（図３参照）。
【００５０】  上記のように光源ユニット１０においては、光源１４、１４、・・・が径方向に離隔して配置されているため、回転中心に近い光源１４の方が回転中心から遠い光源１４よりも配置ベース１３の一回転において範囲Ａに位置される状態が多くなり、単位時間当たりの点灯時間は回転中心に近い光源１４程長くされている。従って、光源ユニット１０における輝度は配置ベース１３の回転中心側において最も高く配置ベース１３の内周から外周へ向かうに従って低くなっていく。
【００５１】  尚、光源ユニット１０においては、光源１４、１４、・・・に供給する電流値を径方向における位置に応じて変化させ、光源ユニット１０における輝度が所望の輝度になるように制御してもよい。例えば、配置ベース１３の径方向における位置に拘わらず、同じ輝度になるように制御してもよい。
【００５２】  光源１４から出射された光は投影レンズ９に入射され、投影レンズ９によって方向が制御されカバー３を透過されて前方へ向けて照射される。
【００５３】  光源１４の点灯時には光源１４及び基板から発生する熱がヒートシンクとしても機能する配置ベース１３に伝達され、配置ベース１３を介して放出されて冷却が行われる。また、同時に、配置ベース１３の回転によって気流が生じるため、この気流によっても冷却が行われる。さらに、配置ベース１３の回転時には光源１４が範囲Ａに移動されたときのみ点灯が行われ、範囲Ａに存在していないときには光源１４が消灯されており、範囲Ａに光源１４が存在していない時間は光源１４の冷却時間とされる。
【００５４】  尚、範囲Ａの周方向における大きさは、少なくとも一つの光源１４の全体が位置される大きさであればよく、例えば、配置ベース１３の回転時に瞬間的に周方向に離隔して位置された二つ以上の光源１４の全体が位置される大きさであってもよい。但し、範囲Ａの周方向における大きさは配置ベース１３の回転数と光源１４、１４、・・・の配置ベース１３に対する配置数等に基づいて必要な点灯時間を確保する観点において設定することが望ましく、また、冷却性能を高めるために光源１４に必要な冷却時間、即ち、配置ベース１３の１回転に対する光源１４の消灯時間をも考慮して設定することがより望ましい。
【００５５】  範囲Ａは横長の一定の範囲であるため、光源１４、１４、・・・から出射された光によって形成される配光パターンは横長の形状になり易く、灯具１においては、例えば、光源１４、１４、・・・から出射される光によってハイビームの配光パターンＨが形成される（図４参照）。但し、光源１４、１４、・・・から出射される光によって形成される配光パターンはハイビームの配光パターンに限られることはなく、ロービームの配光パターンであってもよく、デイタイムランニングランプとして用いられる場合のような昼間照明の配光パターンでもよく、標識灯として使用される場合の各種の配光パターンであってもよい。
【００５６】  図４に示す配光パターンは、ハイビームの配光パターンＨとロービームの配光パターンＬとを合わせた配光パターンである。ロービームの配光パターンＬは、例えば、灯具ユニット６に隣接して配置された図示しないロービーム用の他の灯具ユニットから出射される光によって形成される。
【００５７】  また、ハイビームの配光パターンＨが形成される場合には、例えば、センサーとの組み合わせにより、先行車や対向車や歩行者等を検出し、これらの検出箇所に対しては部分的に光の照射が行われないように点消灯制御することが可能である（図５及び図６参照）。
【００５８】  センサーによって先行車や対向車や歩行者等が検出されると、検出結果が制御回路に送信され、点灯可能な範囲Ａにおいても、これらの検出箇所に応じた範囲Ａｘで制御回路によって光源１４、１４、・・・の消灯が行われ（図５参照）、範囲Ａｘで消灯が行われた状態の配光パターンＨｘが形成される（図６参照）。図６に示す配光パターンは、範囲Ａｘで消灯が行われた状態のハイビームの配光パターンＨｘとロービームの配光パターンＬとを合わせた配光パターンであり、配光パターンＨｘは範囲Ａｘにおいて消灯された部分が暗部Ｃとされている。暗部Ｃにより先行車の搭乗者や対向車の搭乗者や歩行者等には光が照射されず、これらの搭乗者や歩行者に対する幻惑光の発生が防止される。
【００５９】  尚、検出結果によっては、範囲Ａにおいて複数の検出箇所に応じた複数の範囲Ａｘで制御回路によって光源１４、１４、・・・の消灯が行われる場合もある。
【００６０】  上記したように、灯具１にあっては、配置ベース１３の回転により複数の光源１４、１４、・・・が所定の位置（範囲Ａ）に移動されたときに点灯が行われる。
【００６１】  従って、所定の位置以外の位置において複数の光源１４、１４、・・・が消灯されるため、所定の位置以外の位置では光源１４、１４、・・・が冷却され、光源１４、１４、・・・の良好な駆動状態を確保することができる。
【００６２】  特に、複数の光源１４、１４、・・・が順次範囲Ａにおいて点灯され範囲Ａ以外において消灯されるため、範囲Ａにおいてのみ大きな電流量を光源１４に供給しても消灯時間により十分な冷却を行うことが可能になり、安価な光源１４、１４、・・・を用いて高輝度の照射状態を確保することが可能になり、灯具１の製造コストの高騰を来すことなく高輝度の照射状態を確保することができる。
【００６３】  また、光源１４、１４、・・・が配置ベース１３の回転中心から離隔するに従って周方向において異なる位置に配置されている。
【００６４】  従って、回転中心からの距離によって光源１４、１４、・・・の周方向における位置が異なるため、光源１４、１４、・・・の回転位置に応じた点消灯制御を行うことが可能になり、点消灯制御の自由度の向上を図ることができる。
【００６５】  さらに、光源１４、１４、・・・は、配置ベース１３の径方向において異なる位置に配置されると共に回転中心からの距離によって周方向における位置が異なるため、配置ベース１３の径方向及び周方向に点在して配置されている。
【００６６】  従って、光源１４、１４、・・・と基板において発生する熱が配置ベース１３の一部に集中して伝達されることがなく、放熱性の向上を図ることができる。
【００６７】  さらにまた、周方向において隣り合う位置に配置された光源１４、１４の移動軌跡の一部が径方向において重なる。
【００６８】  従って、周方向において隣り合う位置に配置された光源１４、１４の移動軌跡が径方向において離隔して位置されないため、径方向における光源１４、１４の配置数を増やすことができ、高輝度の照射状態を確保することができると共に照射領域において非発光部分が存在しない良好な配光パターンを形成することができる。
【００６９】  また、光源１４、１４、・・・が配置ベース１３の回転中心に重ならない位置に配置されている。
【００７０】  従って、配置ベース１３の回転時に、回転中心に重ならない位置に配置された光源１４、１４、・・・から光が出射されるため、径方向において照射範囲を広げることができる。
【００７１】  さらに、回転中心に重なる位置に光源１４が配置された場合には、配置ベース１３の回転時に、この光源１４が常に範囲Ａに存在するため常時点灯した状態になるが、光源１４、１４、・・・が配置ベース１３の回転中心に重ならない位置に配置されることにより、全ての光源１４、１４、・・・に対する点消灯制御を行うことができる。
【００７２】  さらにまた、光制御部材として光源１４、１４、・・・から出射された光を外部へ向けて投影する投影レンズ９が設けられ、投影レンズ９における光の入射側の焦点又はその近傍に、回転中心に最も近い位置に存在する光源１４、１４が配置されている。
【００７３】  従って、高い分解能が必要な中央付近の配光を入射側の焦点に配置された光源１４、１４によって形成し、高い分解能が不必要な周囲の配光を他の光源１４、１４、・・・によって形成することが可能になり、大きな領域において必要な配光を形成することができる。
【００７４】  次に、光源１４、１４、・・・が径方向に並んで配置された例について説明する（図７乃至図１５参照）。
【００７５】  本例においては、灯具ユニット６Ａが用いられる（図７参照）。
【００７６】  灯具ユニット６Ａにおいて、配置ベース１３Ａと駆動モーター１２は軸方向が前後方向にされた状態で配置され配置ベース１３Ａは、例えば、円板状又は扁平な円柱状に形成され、軸方向が前後方向にされた状態で中心部が駆動モーター１２に連結されている。従って、配置ベース１３Ａは光源配置面１３ａが前方を向く状態にされている。
【００７７】  光源１４、１４、・・・は配置ベース１３Ａにおける光源配置面１３ａの一つの半径Ｒ上に、例えば、等間隔に並んで配置されている（図８参照）。光源１４、１４、・・・は配置ベース１３Ａの回転中心には重ならない位置に配置されている。
【００７８】  配置ベース１３Ａの回転時には光源１４、１４、・・・から光が出射され、光源１４、１４、・・・が配置ベース１３Ａの回転時に常時点灯される（図９参照）。尚、図９に斜線で示す部分は各光源１４、１４、・・・の点灯状態のイメージを示す。光源１４、１４、・・・から出射された光は投影レンズ９によって方向が制御されカバー３を透過されて前方へ向けて照射される。
【００７９】  配置ベース１３Ａの回転時に光源１４、１４、・・・から出射された光によって形成される配光パターンとしては、例えば、ハイビームの配光パターンＭが形成される（図１０参照）。配光パターンＭは各光源１４、１４、・・・が形成する複数の環状のパターンｍ、ｍ、・・・によって形成された略楕円形状に形成されている。
【００８０】  尚、配置ベース１３Ａの回転時に光源１４、１４、・・・から出射された光によって形成される配光パターンは、ロービームの配光パターンであってもよく、デイタイムランニングランプとして用いられる場合のような昼間照明の配光パターンでもよく、標識灯として使用される場合の各種の配光パターンであってもよい。
【００８１】  また、灯具１においては、光源１４、１４、・・・に対して個別に点消灯制御が可能にされているため、配置ベース１３Ａの回転時に少なくとも一つの光源１４が消灯されてもよい（図１１参照）。尚、図１１に斜線で示す部分は各光源１４、１４、・・・の点灯状態のイメージを示し、範囲Ｂにおいて消灯された例を示す。
【００８２】  このような点消灯制御は、上記と同様に、例えば、センサーとの組み合わせにより、先行車や対向車や歩行者等を検出し、これらの検出箇所に対しては部分的に光の照射が行われないようにする点消灯制御であってもよい。
【００８３】  このとき光源１４、１４、・・・から出射された光によって形成される配光パターンは、例えば、範囲Ｂにおいて消灯されることによりハイビームの配光パターンＭにおいて一部が暗部Ｃにされた配光パターンＭａである（図１２参照）。
【００８４】  このように光源１４、１４、・・・が径方向に並んで配置された配置ベース１３Ａの回転時に光源１４、１４、・・・に対する点消灯制御を行うことにより、配置ベース１３Ａの回転方向においては遮光を無段階の分解性能で行うことができ、配置ベース１３Ａの径方向においては遮光を光源１４、１４、・・・の配置数分の分解性能で行うことができる。
【００８５】  また、点消灯制御により配置ベース１３Ａの回転時に光源１４、１４、・・・が上方側に位置されたときに消灯することにより、ロービームの配光パターン若しくはこれに近い配光パターンＬａを形成することも可能である（図１３参照）。
【００８６】  尚、上記には、配置ベース１３Ａの一つの半径Ｒ上に光源１４、１４、・・・が等間隔に並んで配置された例を示したが、光源１４、１４、・・・は、不等の間隔で並んで配置されていてもよく、一つの直径上に等間隔又は不等の間隔で並んで配置されていてもよく、二つ以上の半径Ｒ、Ｒ、・・・上又は二つ以上の直径Ｄ、Ｄ、・・・上に並んで配置されていてもよい（図１４参照）。また、径方向に並ぶ光源１４、１４、・・・が周方向において異なる半径Ｒ、Ｒ、・・・上にそれぞれ配置されていてもよい（図１５参照）。
【００８７】  上記のように、灯具ユニット６Ａを用いて配置ベース１３Ａの回転時に光源１４、１４、・・・を常時点灯又は点消灯制御することにより、灯具ユニット６Ａがリフレクター等を有さない構成であると共に光源１４、１４、・・・が周方向に並ばず配置数の少ない構成であるため、灯具１の小型化を確保した上で良好な放熱性能を確保することができる。
【００８８】  尚、灯具１においては、以下のような制御を行うことも可能である（図１６参照）。
【００８９】  配置ベース１３には径方向に並んで複数の光源ｉ、ｉ、・・・が配置されている。尚、図１６には、一つの光源ｉのみを示す。
【００９０】  配置ベース１３に配置された光源ｉが回転中心Ｏから径方向にｒ（ｉ）、基準線Ｑから周方向に角度θに位置するときに、極座標は（ｒ(ｉ)、θ）と規定される。配置ベース１３にｎ個の光源ｒ(１)、ｒ(２)、ｒ(３)、・・・、ｒ(ｎ)を配置し、各光源ｒ(１)、ｒ(２)、ｒ(３)、・・・、ｒ(ｎ)を点消灯制御することにより、上記した極座標上の各位置の発光制御が可能になる。
【００９１】  以上に記載した通り、灯具１にあっては、複数の光源１４、１４、・・・のうち少なくとも二つの光源１４、１４が配置ベース１３、１３Ａの径方向において回転中心からの距離が異なる位置に配置され、複数の光源１４、１４、・・・に対して個別に点消灯制御が可能にされている。
【００９２】  従って、配置ベース１３、１３Ａに配置された少なくとも二つの光源１４が配置ベース１３、１３Ａの径方向において回転中心からの距離が異なる位置に配置されると共に配置ベース１３、１３Ａに配置された複数の光源１４、１４、・・・に対して個別に点消灯制御が可能にされるため、光の照射態様の多様化を図ることができる。
【００９３】  また、配置ベース１３、１３Ａの回転時に光源１４、１４、・・・が消灯されることにより消灯時間を冷却時間とすることができ、消灯時間により光源１４、１４、・・・の十分な冷却を行うことが可能になり、冷却性能を高めた上で光の照射態様の多様化を図ることができる。
【符号の説明】
【００９４】  １…灯具、８…投影レンズ（光制御部材）、１１…光源ユニット、１３…配置ベース
【図１】
2020039890.tif 000003
【図２】
2020039890.tif 000004
【図３】
2020039890.tif 000005
【図４】
2020039890.tif 000006
【図５】
2020039890.tif 000007
【図６】
2020039890.tif 000008
【図７】
2020039890.tif 000009
【図８】
2020039890.tif 000010
【図９】
2020039890.tif 000011
【図１０】
2020039890.tif 000012
【図１１】
2020039890.tif 000013
【図１２】
2020039890.tif 000014
【図１３】
2020039890.tif 000015
【図１４】
2020039890.tif 000016
【図１５】
2020039890.tif 000017
【図１６】
2020039890.tif 000018
【国際調査報告】
2020039890.tif 000019
2020039890.tif 000020
2020039890.tif 000021
2020039890.tif 000022